(57)【要約】【課題】複数の電子機器を使用するユーザの利便性を向上することが可能な電子機器を提供する。【解決手段】電子機器（１０，２０）は、機能部と、前記機能部の動作状態を判定する第１判定部（１４０，２３０）と、前記機能部の動作状態に応じて、前記機能部の機能を代替可能な外部機器（２０，１０）との連携を可能にする制御部（１４０，２３０）と、を備える。【選択図】図１
2015046688.tif 000002
【特許請求の範囲】
【請求項１】
機能部と、
前記機能部の動作状態を判定する第１判定部と、
前記機能部の動作状態に応じて、前記機能部の機能を代替可能な外部機器との連携を可能にする制御部と、
を備えることを特徴とする電子機器。
【請求項２】
前記外部機器が所定の範囲内に存在するか否かを判定する第２判定部を備え、
前記制御部は、前記外部機器が所定の範囲内に存在する場合に、前記機能部の動作状態に応じて、前記外部機器との連携を可能にすることを特徴とする請求項１に記載の電子機器。
【請求項３】
前記外部機器により取得された情報を前記外部機器から受信する受信部を備えることを特徴とする請求項１または２に記載の電子機器。
【請求項４】
前記機能部は、ユーザからの操作を受け付ける操作部であることを特徴とする請求項１から３のいずれか１項記載の電子機器。
【請求項５】
前記第１判定部は、少なくとも加速度センサの出力に基づいて、前記機能部の動作状態を判定することを特徴とする請求項１から４のいずれか１項に記載の電子機器。
【請求項６】
前記第１判定部は、少なくとも当該電子機器の姿勢に基づいて、前記機能部の動作状態を判定することを特徴とする請求項１から４のいずれか１項に記載の電子機器。
【請求項７】
前記第１判定部は、第１センサと、前記第１センサと異なる第２センサとの出力に基づいて、前記機能部の動作状態を判定することを特徴とする請求項１から４のいずれか１項に記載の電子機器。
【請求項８】
前記第１センサと前記第２センサとは、加速度センサ、姿勢センサ、及び生体センサのいずれかであることを特徴とする請求項７に記載の電子機器。
【請求項９】
機能部と、
外部機器の動作状態に関する情報を前記外部機器から取得する取得部と、
前記外部機器の動作状態に応じて、前記外部機器と前記機能部とを連携させる制御部と、
を備えることを特徴とする電子機器。
【請求項１０】
前記外部機器が所定の範囲内に存在するか否かを判定する判定部を備え、
前記取得部は、前記外部機器が所定の範囲内に存在する場合に、前記動作状態に関する情報を前記外部機器から取得することを特徴とする請求項９に記載の電子機器。
【請求項１１】
前記機能部は、ユーザからの操作を受け付ける操作部であることを特徴とする請求項９または１０に記載の電子機器。
【発明の詳細な説明】
【技術分野】
【０００１】
本発明は、電子機器に関する。
【背景技術】
【０００２】
近年、ユーザが、複数の電子機器（例えば、スマートフォンとデジタルカメラ等）を一緒に持ち歩く場合が増えている。通常、これらの電子機器は互いに独立して使用されるが、最近では、複数の異なる電子機器を連携させて使用する技術が提案されている。
【０００３】
例えば、特許文献１には、移動体通信端末を用いてデジタルカメラやデジタルビデオカメラ等の映像撮影機器の各種機能を制御する制御システムが開示されている。
【先行技術文献】
【特許文献】
【０００４】
【特許文献１】特開２００８−１０４１６２号公報
【発明の概要】
【発明が解決しようとする課題】
【０００５】
しかしながら、特許文献１記載の制御システムは、移動体通信端末を映像撮影機器のリモコンとして使用するものであり、複数の電子機器を使用するユーザの利便性が十分に考慮されているとはいえない。
【０００６】
そこで、本発明は上記の課題に鑑みてなされたものであり、複数の電子機器を使用するユーザの利便性を向上することが可能な電子機器を提供することを目的とする。
【課題を解決するための手段】
【０００７】
本発明の電子機器（１０，２０）は、機能部（１１３，１２５，２０５，２１７）と、前記機能部の動作状態を判定する第１判定部（１４０，２３０）と、前記機能部の動作状態に応じて、前記機能部の機能を代替可能な外部機器との連携を可能にする制御部（１４０，２３０）と、を備える。
【０００８】
この場合において、前記外部機器が所定の範囲内に存在するか否かを判定する第２判定部（１４０，２３０）を備え、前記制御部は、前記外部機器が所定の範囲内に存在する場合に、前記機能部の動作状態に応じて、前記外部機器との連携を可能にしてもよい。また、本発明の電子機器は、前記外部機器により取得された情報を前記外部機器から受信する受信部（１２６，２１８）を備えていてもよい。
【０００９】
本発明の電子機器において、前記機能部は、ユーザからの操作を受け付ける操作部（１１３，２０５）であることとしてもよい。また、前記第１判定部は、少なくとも加速度センサ（２１９）の出力に基づいて、前記機能部の動作状態を判定することとしてもよい。また、前記第１判定部は、少なくとも当該電子機器の姿勢に基づいて、前記機能部の動作状態を判定することとしてもよい。また、前記第１判定部は、第１センサと、前記第１センサと異なる第２センサとの出力に基づいて、前記機能部の動作状態を判定することとしてもよい。この場合において、前記第１センサと前記第２センサとは、加速度センサ（２１９）、姿勢センサ（１２８，２２０）、及び生体センサ（１２９，２２１）のいずれかであることとしてもよい。
【００１０】
本発明の電子機器（１０，２０）は、機能部（１１３，１２５，２０５，２１７）と、外部機器の動作状態に関する情報を前記外部機器から取得する取得部（１２６，１４０，２１８，２３０）と、前記外部機器の動作状態に応じて、前記外部機器と前記機能部とを連携させる制御部（１４０，２３０）と、を備える。
【００１１】
この場合において、前記外部機器が所定の範囲内に存在するか否かを判定する判定部（１４０，２３０）を備え、前記取得部は、前記外部機器が所定の範囲内に存在する場合に、前記動作状態に関する情報を前記外部機器から取得することとしてもよい。また、前記機能部は、ユーザからの操作を受け付ける操作部（１１３，２０５）であることとしてもよい。
【００１２】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１３】
本発明の電子機器は、複数の電子機器を使用するユーザの利便性を向上することができるという効果を奏する。
【図面の簡単な説明】
【００１４】
【図１】一実施形態に係る電子機器システムの構成を示す図である。
【図２】図２（Ａ）及び図２（Ｂ）は、撮像装置の外観構成の一例を示す図である。
【図３】図３（Ａ）及び図３（Ｂ）は、携帯機器の外観構成の一例を示す図である。
【図４】図４（Ａ）は、撮像装置が実行する処理の一例を示すフローチャートであり、図４（Ｂ）は、携帯機器が実行する処理の一例を示すフローチャートである。
【図５】図５は、携帯機器が記憶する動作状態判定テーブルの一例を示す図である。
【図６】図６（Ａ）及び図６（Ｂ）は、撮像装置の表示部に表示される画像の一例を示す図である。
【図７】図７は、携帯機器の表示部に表示される画像の一例を示す図である。
【図８】一実施形態の変形例を説明するための図である。
【発明を実施するための形態】
【００１５】
以下、本発明の一実施形態に係る電子機器システムについて、図１〜図６に基づいて詳細に説明する。図１には、一実施形態に係る電子機器システム５００の構成が示されている。電子機器システム５００は、図１に示すように、撮像装置１０と、携帯機器２０と、を備える。電子機器システム５００は、撮像装置１０及び携帯機器２０の少なくとも一方において、ある機能に不具合が生じた場合に、当該不具合が生じた機能を他方で代替することが可能なシステムである。なお、説明の便宜上、本実施形態では、携帯機器２０において不具合が生じた機能を撮像装置１０で代替する例について説明する。
【００１６】
（撮像装置１０）
撮像装置１０は、カメラであって、一眼レフカメラ、ミラーレスカメラ、およびコンパクトカメラのいずれであってもよいが、本実施形態では、コンパクトカメラであるものとする。なお、本実施形態において、撮像装置１０は、撮像装置１０単体で動作する“単体モード”と、外部機器（本実施形態では携帯機器２０）と連携して動作する“連携モード”とを備えるものとする。さらに、“連携モード”は、撮像装置１０に対する外部機器からの操作を可能にする“外部操作受付モード”と、撮像装置１０から外部機器を操作できる“外部機器操作モード”とを備えるものとする。
【００１７】
撮像装置１０は、図１，図２（Ａ），図２（Ｂ）に示すように、レンズ部１０２、レンズ駆動部１０４、撮像素子１０５、Ａ／Ｄ（Analog/Digital）変換部１０６、画像処理部１０７、表示部１０９、操作部１１３、位置検出部１１５、カレンダ部１１７、記憶部１１９、マイク１２１、スピーカ１２３、発光部１２５、無線通信部１２６、姿勢センサ１２８、生体センサ１２９、及び制御部１４０を備える。
【００１８】
レンズ部１０２は、ズームレンズやフォーカシングレンズを含む複数のレンズ群で構成され、被写体像を撮像素子１０５の撮像面に結像させる。
【００１９】
レンズ駆動部１０４は、例えばモータやアクチュエータなどを備え、ズームやフォーカシングを行うためにレンズ部１０２を駆動する。
【００２０】
撮像素子１０５は、受光素子が撮像面に二次元配列されたＣＭＯＳ（Complementary Metal Oxide Semiconductor）イメージセンサ等を備え、アナログ画像信号を生成する。
【００２１】
Ａ／Ｄ変換部１０６は、撮像素子１０５が生成したアナログ画像信号をデジタル画像信号に変換し、画像処理部１０７および制御部１４０に出力する。
【００２２】
画像処理部１０７は、Ａ／Ｄ変換部１０６から入力されたデジタル画像信号に対して、各種の画像処理（色補間処理、階調変換処理、輪郭強調処理、ホワイトバランス調整処理、画像圧縮処理、画像伸張処理など）を行う回路である。また、画像処理部１０７は、デジタル画像信号に基づいて、被写界を測光して自動露出処理を行う。なお、被写界の測光は、撮像素子１０５とは別に専用の測光回路により測光するようにしてもよい。画像処理部１０７によって処理された画像データ（例えば、サムネイル表示用データや、このサムネイル表示用データよりも解像度の高い本画像データなど）は、制御部１４０の制御の下、表示部１０９に表示されたり、記憶部１１９に記憶される。
【００２３】
表示部１０９は、例えば、ＬＣＤ（Liquid Crystal Display）であり、図２（Ａ）に示すように、撮像装置１０のレンズ部１０２が設けられる面の反対側の面に設けられる。表示部１０９は、撮像装置１０に対する各種の設定情報や、撮像装置１０を操作するための操作メニュー、アイコンなどを表示する。また、表示部１０９は、画像処理部１０７の出力に基づくライブビュー画像（スルー画像）や、後述する記憶部１１９に記録されている静止画像や動画像を表示する。さらに、本実施形態では、ユーザが、携帯機器２０と同一のユーザインタフェースを用いて撮像装置１０から携帯機器２０を操作できるように、表示部１０９は、携帯機器２０の操作部２０５の態様（画像）を表示する。
【００２４】
操作部１１３は、タッチパネル１１１とスイッチ１１２とを含む。タッチパネル１１１は、例えば、図２（Ａ）に示すように、表示部１０９上に設けられ、又は表示部１０９内に組み込まれ、表示部１０９の表面に対するユーザの接触操作を検出し、種々の情報入力を受け付ける。本実施形態において、撮像装置１０が“単体モード”にある場合には、ユーザは、表示部１０９に表示された操作メニューやアイコンに触れる動作を行うことで、撮像装置１０を操作することができる。また、撮像装置１０が“外部機器操作モード”にある場合には、ユーザは、タッチパネル１１１を介して、携帯機器２０を操作することができる。
【００２５】
スイッチ１１２は、本実施形態では、撮像装置１０が“単体モード”にある場合には、ユーザから撮像装置１０に対する操作を受け付け、“外部機器操作モード”にある場合には、携帯機器２０に対する操作を受け付ける。スイッチ１１２は、例えば、レリーズスイッチ１１２ａ、メニュスイッチ１１２ｂ、十字スイッチ（マルチセレクター）１１２ｃ、撮影モードスイッチ１１２ｄ、再生モードスイッチ１１２ｅ、削除スイッチ１１２ｆ等を含む。レリーズスイッチ１１２ａは、上面に設けられており、例えば、静止画像の撮像を指示する場合にユーザによって操作される（押される）。メニュスイッチ１１２ｂは、表示部１０９に、撮影設定などの操作メニューを表示させる場合に操作される。十字スイッチ１１２ｃは、中央部のＯＫスイッチと、周辺部の上下左右のスイッチとを有し、表示部１０９に表示された操作メニューから、あるメニューを選択するのに使用される。撮影モードスイッチ１１２ｄは、撮像装置１０を撮像モードにするスイッチであり、操作に応じて表示部１０９にライブビュー画像が表示される。再生モードスイッチ１１２ｅは、表示部１０９に撮像した画像（静止画、動画）を表示させるためのスイッチである。削除スイッチ１１２ｆは、再生モードの際に十字スイッチ１１２ｃにより選択された画像を削除するためのスイッチである。
【００２６】
位置検出部１１５は、例えば、ＧＰＳ（Global Positioning System）センサを含み、撮像装置１０の位置を検出し、撮像装置１０の位置情報を制御部１４０に出力する。
【００２７】
カレンダ部１１７は、年、月、日、時刻といった時間情報を取得して制御部１４０に出力する。さらに、カレンダ部１１７は、計時機能を有する。
【００２８】
記憶部１１９は、例えば、撮像装置１０に内蔵された不揮発性の半導体メモリやハードディスク、または、撮像装置１０に着脱可能なＳＤカードであり、静止画のデータや動画のデータを記憶する。
【００２９】
マイク１２１は、例えば、図２（Ｂ）に示すように、撮像装置１０のレンズ部１０２が配置される面に設けられ、静止画や動画を撮影したときの音声を収音する。スピーカ１２３は、図２（Ａ）に示すように、表示部１０９が配置される面に設けられ、静止画のデータに関連付けられている音声データや動画のデータに基づいて音声を出力する。
【００３０】
発光部１２５は、例えば、図２（Ｂ）に示すように、撮像装置１０のレンズ部１０２が配置される面に設けられ、ＡＦ（Auto Focus）補助光を被写体に照射したり、被写界の測光結果に応じて撮像装置１０の撮像のタイミングにあわせて発光したりする。
【００３１】
無線通信部１２６は、他の機器と通信を行うものであり、本実施形態においては、後述する携帯機器２０の無線通信部２１８と通信を行い、後述する動作状態判定テーブル（図５参照）を携帯機器２０から受信したりする。また、無線通信部２１８は、撮像装置１０が“外部機器操作モード”にある場合には、携帯機器２０に操作指示を送信し、撮像装置１０が“外部操作受付モード”にある場合には、携帯機器２０から撮像装置１０に対する指示を受信する。
【００３２】
姿勢センサ１２８は、例えば互いに直交する３軸方向に感度を有する加速度センサであり、撮像装置１０の姿勢を検出する。
【００３３】
生体センサ１２９は、心拍数、血圧、発汗量などの体の生体情報の変化を検出するものであって、例えば、ＬＥＤ（light emitting diode）及びフォトセンサ、並びに、発汗センサを含む。例えば、ＬＥＤの照射する光を指に当てたときに反射する光をフォトセンサで受光することにより心拍数が検出される。また、発汗センサは、複数の電極により手のインピーダンスを測定することにより、発汗量を検出する。なお、生体センサ１２９は、ユーザが撮像装置１０をホールド（ハンドホールド）する位置に応じて設けられている。
【００３４】
制御部１４０は、ＣＰＵ（Central Processing Unit）、ＲＡＭ（Random Access Memory）、ＲＯＭ(Read Only Memory)等を備え、撮像装置１０全体を制御する。また、制御部１４０は、撮像装置１０を携帯機器２０と連携して動作させるための制御（詳細は後述する）を実行する。
【００３５】
（携帯機器２０）
携帯機器２０は、ユーザにより携帯された状態で利用される情報機器である。携帯機器２０としては、携帯電話、スマートフォン、タブレット型パソコン、ＰＨＳ（Personal Handy-phone System）、ＰＤＡ（Personal Digital Assistant）、多機能腕時計等を採用することができる。本実施形態では、携帯機器２０は、スマートフォンであるものとする。携帯機器２０は、電話機能やインターネット等に接続するための通信機能、および、プログラムを実行するためのデータ処理機能等を有する。また、本実施形態では、携帯機器２０は、携帯機器２０単体で動作する“単体モード”と、外部機器（本実施形態では、撮像装置１０）と連携して動作する“連携モード”とを備えるものとする。さらに、“連携モード”は、携帯機器２０に対する外部機器からの操作を可能にする“外部操作受付モード”と、携帯機器２０から外部機器を操作可能にする“外部機器操作モード”とを備えるものとする。
【００３６】
携帯機器２０は、図１、図３（Ａ），図３（Ｂ）に示すように、ディスプレイ２０１、操作部２０５、位置検出部２０７、カレンダ部２０９、記憶部２１１、マイク２１３、スピーカ２１５、撮像部２１６、発光部２１７、無線通信部２１８、加速度センサ２１９、姿勢センサ２２０、生体センサ２２１、及び制御部２３０を備える。
【００３７】
ディスプレイ２０１は、例えば、ＬＣＤであり、画像、各種情報およびボタン等の操作入力用画像を表示する。
【００３８】
操作部２０５は、タッチパネル２０３とスイッチ２０４とを備える。タッチパネル２０３は、ユーザが触れたことに応じて情報入力を受け付ける。タッチパネル２０３は、図３（Ａ）に示すように、ディスプレイ２０１上またはディスプレイ２０１内に組み込まれて設けられる。したがって、タッチパネル２０３は、ユーザがディスプレイ２０１の表面をタッチすることに応じて、種々の情報入力を受け付ける。
【００３９】
スイッチ２０４は、ユーザから携帯機器２０に対する操作を受け付ける操作部材であって、本実施形態では、図３（Ａ）に示すように、ディスプレイ２０１が設けられる面に設けられている。
【００４０】
位置検出部２０７は、例えば、ＧＰＳセンサを含み、携帯機器２０の位置を検出し、携帯機器２０の位置情報を制御部２３０に出力する。
【００４１】
カレンダ部２０９は、年、月、日、時刻といった時間情報を取得して制御部２３０に出力する。さらに、カレンダ部２０９は、計時機能を有する。
【００４２】
マイク２１３は、例えば、後述する撮像部２１６が設けられる面（図３（Ｂ）参照）や、ユーザが通話機能を使用する場合にユーザの音声を取得可能な位置に配置される。マイク２１３は、通話機能を使用するユーザの音声を入力したり、、静止画や動画を撮影したときの音声を収音したりする。スピーカ２１５は、例えば、図３（Ａ）に示すように、ディスプレイ２０１が設けられる面に配置され、音声を出力する。
【００４３】
撮像部２１６は、撮像素子や撮影レンズなどを備える撮影ユニットを含み、被写体を撮像する。撮像部２１６は、例えば、図３（Ｂ）に示すように、携帯機器２０のディスプレイ２０１が設けられる面の反対側の面に設けられる。
【００４４】
発光部２１７は、例えば、図３（Ｂ）に示すように、撮像部２１６が設けられる面に配置され、制御部２３０の指示に基づき発光する。なお、図１のブロック図では不図示であるが、画像処理部が撮像素子の出力に基づき各種画像処理を行うとともに、被写界を測光して自動露出補正を行っている。
【００４５】
無線通信部２１８は、他の機器と通信を行うためのものであり、本実施形態においては、撮像装置１０の無線通信部１２６と通信を行い、動作状態判定テーブル（図５参照）を撮像装置１０に送信する。また、無線通信部２１８は、携帯機器２０が“外部操作受付モード”にある場合には、携帯機器２０に対する操作指示を撮像装置１０から受信し、携帯機器２０が“外部機器操作モード”にある場合には、撮像装置１０に対する指示を撮像装置１０に送信する。
【００４６】
加速度センサ２１９は、携帯機器２０の加速度を検出する。加速度センサ２１９には、圧電素子や歪ゲージなどを用いることができる。加速度センサ２１９の軸数としては１〜３軸のいずれかを適宜選択すればよく、その数も任意に設定することができる。加速度センサ２１９の１軸は、ユーザによるタッチパネル２０３の操作を検出できるように、言い換えれば、図３の紙面垂直方向（Ｚ方向）を検出できるように設けられている。姿勢センサ２２０は、例えば互いに直交する３軸方向に感度を有する加速度センサであり、携帯機器２０の姿勢を検出する。なお、姿勢センサ２２０の加速度センサとして加速度センサ２１９を兼用するようにしてもよい。
【００４７】
生体センサ２２１は、心拍数、血圧、発汗量などの体の生体情報の変化を検出するものであって、例えば、ＬＥＤ及びフォトセンサ、並びに、発汗センサを含む。なお、ＬＥＤの照射する光を指に当てたときに反射する光をフォトセンサで受光することにより心拍数を検出することができる。また、発汗センサは、複数の電極により手のインピーダンスを測定して、発汗量を検出する。なお、生体センサ２２１は、ユーザが携帯機器２０をホールド（ハンドホールド）する位置に応じて設けられている。
【００４８】
記憶部２１１は、例えば、不揮発性の半導体メモリやハードディスクである。本実施形態では、記憶部２１１は、動作状態判定テーブル（図５参照）を記憶する。ここで、動作状態判定テーブルは、携帯機器２０の各部の動作状態（正常、故障）を格納するテーブルである。本実施形態では、後述する制御部２３０が、携帯機器２０の各部が正常に動作しているか否かを判定し、当該判定結果を動作状態判定テーブルに格納する。
【００４９】
図１に戻り、制御部２３０は、ＣＰＵ、ＲＡＭ、ＲＯＭ等を備え、携帯機器２０全体を制御する。本実施形態において、制御部２３０は、携帯機器２０の各部の動作状態を判定し、判定結果を動作状態判定テーブルに格納する。
【００５０】
例えば、制御部２３０は、図３（Ａ）及び図３（Ｂ）の紙面垂直方向（Ｚ方向）の加速度を検出する加速度センサ２１９から出力があるにも関わらず、タッチパネル２０３からの信号を入力しない場合にタッチパネル２０３が故障していると判断することができる。この場合、制御部２３０は、生体センサ２２１と、姿勢センサ２２０との少なくも一方の出力からユーザが携帯機器２０を使用していることを判断した後に、加速度センサ２１９の出力を確認するようにしてもよい。これにより、ユーザがタッチパネル２０３を操作していることを精度よく検出することができる。そして、制御部２３０は、図５に示すように、動作状態判定テーブルにおいて、タッチパネルの動作状態に“故障”を登録する。なお、制御部２３０は、マイク２１３から入力された音声を解析した結果、当該音声に「反応しない」や「故障」等の音声が含まれる場合に、タッチパネル２０３が故障していると判断してもよい。
【００５１】
また、例えば、制御部２３０は、発光部２１７が発光時に使用する電気エネルギーを貯えるコンデンサ（不図示）の出力をモニタリングし、発光部２１７に発光指示を出力したにも関わらず、コンデンサからの出力が検出できない場合に、発光部２１７が故障していると判断することができる。
【００５２】
制御部２３０は、更に、携帯機器２０を撮像装置１０と連携して動作させるための制御を実行する。
【００５３】
次に、上記の構成を備える電子機器システム５００において実行される処理の一例について説明する。
【００５４】
図４（Ａ）は、撮像装置１０の制御部１４０が実行する処理の一例を示すフローチャートであり、図４（Ｂ）は、携帯機器２０の制御部２３０が実行する処理の一例を示すフローチャートである。なお、撮像装置１０と携帯機器２０においては、予め互いの装置情報（ＩＰアドレス等）を交換するなどしてペアリング処理が行われ、撮像装置１０と携帯機器２０による連携が可能な状態となっているものとする。
【００５５】
図４（Ａ）の処理では、まず、撮像装置１０の制御部１４０が、ステップＳ１１において、携帯機器２０が所定の範囲内（例えば、撮像装置１０から数ｍ以内）に存在するか否かを判断する。ここで、本実施形態において、所定の範囲とは、携帯機器２０において不具合が生じた機能を撮像装置１０が代替した場合において、携帯機器２０が正常に動作している場合と同等の処理を行ったり、同等のデータ（画像データ等）を取得したりすることが可能な範囲をいう。なお、制御部１４０は、無線通信部１２６、２１８間の通信強度等に応じて、携帯機器２０が所定の範囲内に存在するか否かを判断してもよいし、例えば、携帯機器２０との通信により携帯機器２０の位置検出部２０７で検出された位置情報を取得し、当該位置情報と撮像装置１０の位置検出部１１５で検出された位置情報との差から携帯機器２０が所定の範囲内に存在するか否かを判断してもよい。なお、所定の範囲は、ユーザが設定してもよいし、撮像装置１０の出荷時に予め設定されていてもよい。制御部１４０は、携帯機器２０が所定の範囲内に存在していない場合には、ステップＳ１１の判断を繰り返す。そして、制御部１４０は、携帯機器２０が所定の範囲内に存在するようになった段階で、ステップＳ１３に移行する。
【００５６】
ステップＳ１３に移行すると、制御部１４０は、携帯機器２０に、携帯機器２０の動作状態判定テーブル（図５参照）及びユーザインタフェース（ＩＦ）情報を送信するよう要求する。なお、ユーザインタフェース情報とは、タッチパネル２０３の操作画面の画像や、スイッチ２０４を含む携帯機器２０の外観の画像であるものとする。
【００５７】
一方、携帯機器２０の制御部２３０は、ステップＳ５１において、撮像装置１０から動作状態判定テーブル及びユーザインタフェース情報の送信要求を受信するまで待機している。そして、当該送信要求を受信した段階で、制御部２３０は、ステップＳ５３に移行する。
【００５８】
ステップＳ５３に移行すると、制御部２３０は、自機に不具合（故障）が発生している箇所（不具合箇所）が存在するか否かを判断する。具体的には、制御部２３０は、動作状態判定テーブルの動作状態の項目に“故障”が入力されているデータが存在するか否かを判断する。ここでの判断が否定された場合には、撮像装置１０と携帯機器２０とを連携させる必要がないので、制御部２３０は、図４（Ｂ）の全処理を終了するが、肯定された場合には、ステップＳ５５に移行する。
【００５９】
ステップＳ５５に移行すると、制御部２３０は、動作状態判定テーブル（図５参照）及びユーザインタフェース情報を撮像装置１０に送信する。
【００６０】
続くステップＳ５７において、制御部２３０は、不具合箇所が操作部（本実施形態では、タッチパネル２０３又はスイッチ２０４）か否かを判断する。具体的には、制御部２３０は、図５の動作状態判定テーブルにおいて、タッチパネル及びスイッチの動作状態の項目に“故障”が登録されているか否かを判断する。ここでの判断が肯定された場合、制御部２３０は、ステップＳ６１に移行する。なお、ここでは、タッチパネル２０３が故障しているが、スイッチ２０４は故障していないものとして説明する。
【００６１】
ステップＳ６１に移行すると、制御部２３０は、携帯機器２０に対する撮像装置１０からの操作を可能にする“外部操作受付モード”へと、携帯機器２０を移行させる。この“外部操作受付モード”では、制御部２３０は、撮像装置１０の操作部（１１１，１１２）に入力された操作に対応する指示（操作指示）を撮像装置１０から受信し、該操作指示に従って携帯機器２０を動作させる。なお、このとき、制御部２３０は、ディスプレイ２０１に「撮像装置からの操作を受け付ける外部操作受付モードに移行しますか？移行する場合には、スイッチを２回押し、移行しない場合には、スイッチを１回押してください」等のメッセージを表示してもよい。この場合、制御部２３０は、ユーザが、スイッチ２０４の操作により外部操作受付モードに移行する選択を行った場合に、携帯機器２０を“外部操作受付モード”に移行させればよい。
【００６２】
なお、タッチパネル２０３及びスイッチ２０４のいずれもが故障している場合には、タッチパネル２０３及びスイッチ２０４を用いた外部操作受付モードに移行するための選択ができない。したがって、この場合には、外部操作受付モードへの移行を選択するための具体的な動作をディスプレイ２０１に表示することとしてもよい。例えば、外部操作受付モードへの移行を選択するための動作としては、「携帯機器を数回振る」等の動作を採用することができる。この場合、制御部２３０は、加速度センサ２１９の検出結果に基づいて、携帯機器を数回振る動作が行われたことを検知した場合に、外部操作受付モードへの移行が選択されたと判断すればよい。
【００６３】
制御部２３０は、ユーザから、“外部操作受付モード”を終了する指示を受け付けるまで、外部操作受付モードを維持しつつ、ステップＳ６３の判断を繰り返す。なお、制御部２３０は、終了指示があったか否かを、故障していない操作部に対する所定の操作（例えば、スイッチ２０４の長押し）があったか否か、電源がオフされたか否か、あるいは、携帯機器に対する所定の動作を加速度センサ２１９で検出したか否かなどにより判断するようにすればよい。制御部２３０は、“外部操作受付モード”を終了する指示を受け付けた段階で、図４（Ｂ）の処理を終了する。
【００６４】
一方、撮像装置１０の制御部１４０は、図４（Ａ）のステップＳ１５において、携帯機器２０から、携帯機器２０の動作状態判定テーブル（図５）及びユーザインタフェース情報を受信したか否かを判断する。ここでの判断が否定された場合、制御部１４０は、ステップＳ１７に移行する。
【００６５】
ステップＳ１７に移行すると、制御部１４０は、所定時間（例えば、数秒から数十秒）が経過したか否かを判断する。上述したように、携帯機器２０の制御部２３０は、携帯機器２０に不具合箇所が存在する場合に、動作状態判定テーブル及びユーザインタフェース情報を送信する。したがって、制御部１４０は、所定時間（例えば、数秒から数十秒）が経過しても、動作状態判定テーブル及びユーザインタフェース情報を受信できない場合（ステップＳ１７／ＹＥＳ）には、携帯機器２０に不具合箇所がないとして、図４（Ａ）の全処理を終了する。一方、制御部１４０は、所定時間内に動作状態判定テーブル及びユーザインタフェース情報を携帯機器２０から受信した場合には、ステップＳ１９に移行する。
【００６６】
ステップＳ１９に移行すると、制御部１４０は、図４（Ｂ）のステップＳ５７と同様にして、不具合箇所が操作部か否かを判断する。ここでの判断が肯定された場合、制御部１４０は、ステップＳ２１に移行する。
【００６７】
ステップＳ２１に移行すると、制御部１４０は、撮像装置１０を、携帯機器２０の操作が可能な“外部機器操作モード”へ移行させる。なお、このとき、制御部１４０は、表示部１０９に「携帯機器の操作が可能な外部機器操作モードに移行しますか？」等のメッセージを表示してもよい。この場合、制御部１４０は、ユーザが、タッチパネル１１１や十字スイッチ１１２ｃの操作により当該メッセージに対する回答として「はい」を選択した場合に、撮像装置１０を“外部機器操作モード”に移行させればよい。
【００６８】
制御部１４０は、撮像装置１０を“外部機器操作モード”へ移行させた場合、携帯機器２０から受信したユーザインタフェース情報に基づき、図６（Ａ）に示すように、ディスプレイ２０１に表示されている画面を、撮像装置１０の表示部１０９に表示する。この場合、制御部１４０は、ユーザからタッチパネル１１１に対する操作（操作指示）が行われると、該操作指示を携帯機器２０に送信する。そして、携帯機器２０の制御部２３０は、撮像装置１０から受信した操作指示に基づき、携帯機器２０を制御する。これにより、ユーザは、タッチパネル２０３が故障していても、撮像装置１０のタッチパネル１１１を用いて、携帯機器２０の操作を行うことができる。なお、図６（Ａ）の操作画面においてユーザがアイコンを選択した場合、その選択内容が携帯機器２０の制御部２３０に送信される。この場合、制御部２３０は、該アイコンを選択した場合の画面を撮像装置１０の制御部１４０に送信するようにすればよい。
【００６９】
なお、携帯機器２０のスイッチ２０４が故障している場合には、制御部１４０は、例えば、図６（Ｂ）に示すように、携帯機器２０の外観画像を表示部１０９に表示し、スイッチ２０４に対する操作をタッチパネル１１１を介してユーザから受け付けるようにすればよい。あるいは、制御部１４０は、例えば、撮像装置１０の十字スイッチ１１２ｃ等にスイッチ２０４の機能を割り当て、割り当てた旨を、表示部１０９に表示するようにしてもよい。
【００７０】
また、タッチパネル２０３及びスイッチ２０４の両方が故障している場合にも、制御部１４０は、図６（Ｂ）に示すように、携帯機器２０の外観画像を表示部１０９に表示し、ユーザからタッチパネル１１１を介して携帯機器２０に対する操作を受け付けるようにすればよい。
【００７１】
制御部１４０は、ユーザから、タッチパネル１１１やスイッチ１１２を介して、“外部機器操作モード”を終了する指示を受け付けるまで、外部機器操作モードを維持しつつ、ステップＳ２５の判断を繰り返す。そして、“外部機器操作モード”を終了する指示を受け付けた段階で、制御部１４０は、図４（Ａ）の処理を終了する。
【００７２】
ところで、図４（Ｂ）のステップＳ５７の判断において、不具合箇所が操作部ではないと判断された場合には、制御部２３０は、ステップＳ５９に移行する。
【００７３】
ステップＳ５９に移行すると、制御部２３０は、携帯機器２０から撮像装置１０を操作できる“外部機器操作モード”へと、携帯機器２０を移行させる。なお、このとき、制御部２３０は、ディスプレイ２０１に「撮像装置の制御が可能な外部機器操作モードに移行しますか？」等のメッセージを表示してもよい。この場合、制御部２３０は、ユーザがタッチパネル２０３やスイッチ２０４を介して当該メッセージに対する回答として「はい」を選択した場合に、携帯機器２０を“外部機器操作モード”に移行させればよい。
【００７４】
制御部２３０は、携帯機器２０を“外部機器操作モード”へ移行させた場合、ユーザから受け付けた操作に基づき、携帯機器２０で不具合が生じている箇所と同等の機能を発揮可能な撮像装置１０の一部を動作させるための指示を、撮像装置１０の制御部１４０に送信する。例えば、携帯機器２０の発光部２１７が故障している場合に、ユーザから静止画を撮像する操作を受け付け、かつ、測光の結果、発光部２１７の発光が必要であったとする。この場合、制御部２３０は、故障している発光部２１７と同等の機能を発揮可能な撮像装置１０の発光部１２５を動作させる（発光させる）指示を無線通信部２１８，１２６を介して撮像装置１０に送信する。なお、制御部２３０は、撮像装置１０への指示を行った後、所定のタイミングで撮像部２１６による撮像を実行する。
【００７５】
制御部２３０は、ユーザから、タッチパネル２０３やスイッチ２０４を介して、“外部機器操作モード”を終了する指示を受け付けるまで、外部機器操作モードを維持しつつ、ステップＳ６３の判断を繰り返す。そして、“外部機器操作モード”を終了する指示を受け付けた段階で、制御部２３０は、図４（Ｂ）の処理を終了する。
【００７６】
一方、撮像装置１０側では、図４（Ａ）のステップＳ１９において、不具合箇所が操作部ではないと判断された場合には、制御部１４０は、ステップＳ２３に移行する。
【００７７】
ステップＳ２３に移行すると、制御部１４０は、撮像装置１０に対する携帯機器２０からの操作を可能にする“外部操作受付モード”へと、撮像装置１０を移行させる。なお、このとき、制御部１４０は、表示部１０９に「携帯機器からの操作を受け付ける外部操作受付モードに移行しますか？」等のメッセージを表示してもよい。この場合、制御部１４０は、ユーザが、タッチパネル１１１や十字スイッチ１１２ｃの操作により当該メッセージに対する回答として「はい」を選択した場合に、撮像装置１０を“外部操作受付モード”に移行させればよい。
【００７８】
制御部１４０は、撮像装置１０を“外部操作受付モード”に移行させた場合、携帯機器２０から撮像装置１０に対する指示を受信し、当該指示に基づき、携帯機器２０で不具合が生じている箇所の機能を代替可能な撮像装置１０の一部を動作させる。例えば、前述したように、制御部２３０から撮像装置１０の発光部１２５を動作させる（発光させる）指示を受信した場合には、制御部１４０は、発光部１２５を発光させる。なお、制御部１４０は指示を受信してから所定のタイミングで発光部１２５を発光させることで、撮像部２１６が被写体を撮像するタイミングに合わせた発光を行うことができる。これにより、ユーザは、例えば、静止画の撮像を行うときに携帯機器２０の発光部２１７が故障していても、撮像装置１０の発光部１２５によって被写体に照明をあてることができる。したがって、ユーザは、発光部２１７が故障していない場合と同等の画像を撮像することができる。
【００７９】
制御部１４０は、ユーザから、タッチパネル１１１やスイッチ１１２を介して“外部操作受付モード”を終了する指示を受け付けるまで、外部操作受付モードを維持しつつ、ステップＳ２５の判断を繰り返す。そして、“外部操作受付モード”を終了する指示を受け付けた段階で、制御部１４０は、図４（Ａ）の処理を終了する。
【００８０】
以上、詳細に説明したように、本実施形態によれば、携帯機器２０の制御部２３０は、機能部（タッチパネル、スイッチ、発光部など）の動作状態を判定し、ある機能部が故障している場合に、当該機能部の機能を代替可能な撮像装置１０との連携を可能にする。一方、撮像装置１０の制御部１４０は、携帯機器２０の動作状態に関する情報（動作状態判定テーブル：図５）を携帯機器２０から無線通信部２１８を介して取得し、携帯機器２０に不具合箇所が存在する場合に、不具合箇所の機能を代替するように、携帯機器２０と撮像装置１０の機能部とを連携させる。これにより、携帯機器２０の一部が故障した場合にも、撮像装置１０を用いて、当該故障が発生していない場合とほぼ同等の処理を行ったり、ほぼ同等のデータ（画像データ等）を取得したりすることが可能となる。これにより、撮像装置１０と携帯機器２０とを使用するユーザの利便性が向上する。
【００８１】
また、本実施形態によれば、撮像装置１０の制御部１４０は、携帯機器２０が所定の範囲内（例えば、数ｍ以内）に存在するか否かを判定し、携帯機器２０が所定の範囲内に存在すると判定した場合に、携帯機器２０の動作状態に関する情報を携帯機器２０から取得する。携帯機器２０が所定の範囲内に存在しない場合、携帯機器２０の故障した機能部の機能を撮像装置１０で代替したとしても、当該故障が発生していない場合と同等の処理を行ったり、同等のデータが取得できない場合がある。このような場合には、撮像装置１０と携帯機器２０とを連携させないことで、ユーザが意図しない処理や、意図しないデータの取得が行われることを防止することができる。
【００８２】
また、本実施形態によれば、撮像装置１０の制御部１４０は、携帯機器２０の操作部２０５が故障している場合に、操作部１１３による携帯機器２０の操作を可能にする。一方、携帯機器２０の制御部２３０は、操作部２０５が故障している場合に、携帯機器２０に対する撮像装置１０からの操作を可能にする。これにより、携帯機器２０の操作部２０５が故障した場合にも、ユーザは、撮像装置１０の操作部１１３を用いて携帯機器２０を操作でき、ユーザの利便性が向上する。
【００８３】
なお、上記実施形態においては、撮像装置１０が携帯機器２０が備える機能を代替したが、これに限定されるものではない。携帯機器２０が、撮像装置１０が備える機能を代替してもよい。この場合、撮像装置１０が図４（Ｂ）の処理を実行し、携帯機器２０が図４（Ａ）の処理を実行すればよい。例えば、撮像装置１０のタッチパネル１１１及びスイッチ１１２が故障した場合、制御部２３０は、携帯機器２０を“外部機器操作モード”に移行させ、撮像装置１０から受信したユーザインタフェース情報に基づいて、図７に示すように、撮像装置１０の操作部１１３の態様を、ディスプレイ２０１に表示させる。そして、制御部２３０は、携帯機器２０のタッチパネル２０３を介して撮像装置１０の操作を可能にする。
【００８４】
なお、上記実施形態では、ステップＳ５５において、制御部２３０は、動作状態判定テーブルとともに、ユーザインタフェース情報（操作画面の情報）を送信する場合について説明した。しかしながら、これに限られるものではなく、例えば、図４（Ａ）、図４（Ｂ）の処理前に行われている撮像装置１０と携帯機器２０とのペアリング処理の際に、各装置のユーザインタフェース情報を相互に送信しておいてもよい。
【００８５】
なお、例えば、撮像装置１０のタッチパネル１１１及びスイッチ１１２が故障した場合に、ユーザが、携帯機器２０で撮像した撮像装置１０の操作部１１３の画像を用いて、携帯機器２０から撮像装置１０の操作を行えるようにしてもよい。具体的には、記憶部２１１に、タッチパネル１１１（表示部１０９）及びスイッチ１１２を含む撮像装置１０の画像（参照画像）と、当該参照画像を複数の領域に分割し、各領域をユーザが触った場合に行える操作とを予め記憶させておく。制御部２３０は、ユーザが撮像した撮像装置１０の画像（撮像画像）を複数の領域に分割し、さらに、撮像画像と参照画像とをマッチングして、撮像画像の各領域に対して参照画像の対応する領域に関連付けられていた操作を割り当てる。これにより、携帯機器２０で撮像した撮像装置１０の画像を用いて、撮像装置１０の操作を行うことが可能となる。
【００８６】
また、制御部２３０は、ディスプレイ２０１に撮像装置１０のタッチパネル１１１の操作画面を表示し、スイッチ１１２の一部の機能を、スイッチ２０４に割り当てるようにしてもよい。
【００８７】
また、撮像装置１０及び携帯機器２０のいずれにも不具合が生じている場合には、撮像装置１０及び携帯機器２０が、それぞれ、図４（Ａ）及び図４（Ｂ）の両方の処理を実行すればよい。これにより、撮像装置１０及び携帯機器２０とが共に正常な場合と同等な処理を行ったり、同等のデータを取得したりすることができる。
【００８８】
また、上記実施形態においては、撮像装置１０の制御部１４０が、携帯機器２０が所定の範囲内に存在するか否かを判断していたが、携帯機器２０の制御部２３０が、撮像装置１０が所定の範囲内に存在するか否かを判断してもよい。この場合、携帯機器２０の制御部２３０は、撮像装置１０が所定の範囲内に存在する場合に、動作状態判定テーブルを撮像装置１０に送信するようにすればよい。
【００８９】
また、上記実施形態において、携帯機器２０が、携帯機器２０が備える各種センサの出力や各部の出力を撮像装置１０に送信し、撮像装置１０の制御部１４０が、携帯機器２０の各部の動作状態を判断してもよい。
【００９０】
また、上記実施形態において、携帯機器２０の制御部２３０は、携帯機器２０の各部の故障を検出した都度、故障情報を撮像装置１０に送信するようにしてもよい。
【００９１】
（変形例）
上記実施形態では、携帯機器２０に不具合が生じた場合に、携帯機器２０と撮像装置１０との間で連携を行う例について説明したが、不具合が生じていない場合にも、携帯機器２０と撮像装置１０とが連携して動作してもよい。以下、携帯機器２０と撮像装置１０との間の他の連携例について説明する。
【００９２】
本変形例では、撮像装置１０による撮像を行う場合の収音に、携帯機器２０のマイク２１３を利用する場合について説明する。
【００９３】
例えば、図８に示すように、撮像装置１０を用いて、望遠で、静止画や動画の撮影を行うとする。このとき、撮像装置１０から被写体が遠いため、撮像装置１０のマイク１２１では、ユーザが収音したい音（被写体が発する音や、被写体の周囲の音）を収音することができないおそれがある。また、例えば、マイク１２１が指向性を有している場合でも、被写体が遠いので、被写体が発する音以外の音声（周囲の騒音、撮像装置１０のＡＦ時の駆動音等の雑音）を収音してしまうおそれがある。
【００９４】
そこで、本変形例では、図８に示すように、被写体の近傍（図８では、切り株の上）に携帯機器２０を置き、撮像装置１０のマイク１２１ではなく、携帯機器２０のマイク２１３を用いた収音を行う。なお、被写体が人物である場合には、携帯機器２０を被写体に持たせておくことで、被写体の発する音声及び被写体の周囲の音を収音できる。携帯機器２０のマイク２１３によって収音された音声データは、無線通信部２１８を介して、撮像装置１０に送信される。撮像装置１０に送信された音声データは、撮像装置１０が撮像した画像データに関連付けられて記録される。これにより、撮像装置１０から遠い被写体を撮像する場合にも、被写体の発する音声を収音することができる。また、雑音が記録されるのを防止することができる。
【００９５】
なお、上記変形例では、携帯機器２０のマイク２１３を利用する場合について説明したが、これに限られるものではない。例えば、被写体が携帯機器２０を保持している場合、撮像装置１０のマイク１２１に入力された音声を携帯機器２０のスピーカ２１５から出力し、撮像装置１０のユーザから離れた位置にいる被写体に、撮影に関する指示や撮影の合図を送ってもよい。また、例えば、被写体の近傍に配置された携帯機器２０の発光部２１７を利用して、撮像装置１０のユーザから離れた位置にいる（ある）被写体に照明光をあててもよい。
【００９６】
また、上記変形例では、撮像装置１０と携帯機器２０との距離が離れている場合の連携例について説明したが、撮像装置１０と携帯機器２０とが近接している場合に両機器を連携させてもよい。また、この場合、例えば、携帯機器２０のマイク２１３に加えて、撮像装置１０のマイク１２１でも収音を行うようにしてもよい。携帯機器２０のマイク２１３と、撮像装置１０のマイク１２１とで同時に収音することにより、音声に立体感をもたせることができる。
【００９７】
なお、上記実施形態および変形例では、撮像装置１０と携帯機器２０との連携について説明したが、撮像装置１０は、スマートフォン、タブレット型パソコン、電子ビューワ、携帯電話、ビデオカメラ、洗濯機、テレビ等の電化製品であってもよい。また、携帯機器２０は、携帯電話、デジタルカメラ、ゲーム機器等であってもよい。
【００９８】
上述した実施形態は本発明の好適な実施の例である。但し、これに限定されるものではなく、本発明の要旨を逸脱しない範囲内において種々変形実施可能である。
【符号の説明】
【００９９】
１０  撮像装置
２０  携帯機器
１１１  タッチパネル
１１２  スイッチ
１１３  操作部
１２６  無線通信部
１２８  姿勢センサ
１２９  生体センサ
１４０  制御部
２０３  タッチパネル
２０４  スイッチ
２０５  操作部
２１８  無線通信部
２１９  加速度センサ
２２０  姿勢センサ
２２１  生体センサ
２３０  制御部
【図１】
2015046688.tif 000003
【図２】
2015046688.tif 000004
【図３】
2015046688.tif 000005
【図４】
2015046688.tif 000006
【図５】
2015046688.tif 000007
【図６】
2015046688.tif 000008
【図７】
2015046688.tif 000009
【図８】
2015046688.tif 000010